(57)【要約】    【課題】  光源が利用者の視界に直接入るのを防止することが出来、光源が従来よりも簡単な配線で設けられ、広範囲にベッドの横の床面を照らすことが出来るベッド装置を提供すること。    【解決手段】  ベッド装置１は、ヘッドボード２０と、ヘッドボード２０の端から延びるサイドフレーム３１と、ヘッドボード２０に設けられ、サイドフレーム３１を照射する発光ダイオード２１と、サイドフレーム３１に設けられ、発光ダイオード２１が照射した光を反射してサイドフレーム３１の脇の床面を照らす反射面３２と、を備える。【選択図】  図２
2010022583.tif 000002
【特許請求の範囲】
【請求項１】
ヘッドボードと、
前記ヘッドボードの端から延びるサイドフレームと、
前記ヘッドボードに設けられ、前記サイドフレームを照射する光源と、
前記サイドフレームに設けられ、前記光源が照射した光を反射して前記サイドフレームの脇の床面を照らす反射部材と、を備えることを特徴とするベッド装置。
【請求項２】
前記反射部材は、前記サイドフレームに有する反射面であることを特徴とする請求項１に記載のベッド装置。
【請求項３】
前記反射面は、床面に対して傾斜していることを特徴とする請求項２に記載のベッド装置。
【請求項４】
前記反射面は凹または凸面形状を呈することを特徴とする請求項２に記載のベッド装置。
【請求項５】
前記サイドフレームの材質はアルミニウム合金であり、該アルミニウム合金の表面が前記反射面であることを特徴とする請求項２乃至４の少なくともいずれか一項に記載のベッド装置。
【請求項６】
前記反射部材は、前記サイドフレームに有する反射板であることを特徴とする請求項１に記載のベッド装置。
【請求項７】
前記反射板は、床面に対して傾斜していることを特徴とする請求項６に記載のベッド装置。
【請求項８】
前記反射部材には、少なくとも一つの光拡散面を持つ透過部材が設けられていることを特徴とする請求項１に記載のベッド装置。
【請求項９】
前記ヘッドボードは、前記光源の照射方向を調整する照射方向調整機構を備えることを特徴とする請求項１乃至８に記載のベッド装置。
【請求項１０】
前記光源は、前記ヘッドボードの内部に設けられ、前記ヘッドボードは、前記光源が照射した光が通過する光通過孔を備えることを特徴とする請求項１乃至９の少なくともいずれか一項に記載のベッド装置。
【発明の詳細な説明】
【技術分野】
【０００１】
本発明は、ベッド装置、特に、ベッドの横の床面を照らす照明を備えたベッド装置に関する。
【背景技術】
【０００２】
従来、照明つきのベッドとして様々な形態のものが知られている。
【０００３】
特許文献１によれば、家具の照明装置が適用されたベッド装置では、ベッドのヘッドボード内部に発光ダイオード（ＬＥＤ）が装着されており、マットレス側に所定の角度で照射されるようになっている。
【０００４】
特許文献２のベッド装置は、マット支持台とマット支持台の外方に周設され透明体又は半透明体の材質で形成された側板との間に、発光ダイオードを照明灯とする照明設備空間が設けられている。
【０００５】
特許文献３のベッド装置は、ベッド本体の少なくとも一部が磁性材料によって形成されており、マグネットを有するフットライトが磁性材料によって形成された部分に磁気結合させることで着脱可能に設けられている。
【０００６】
特許文献４のベッド装置は、床面上に載置されたベッドフレームに装架されたフットライトを備えている。
【０００７】
特許文献５のベッド装置は、ベッド本体の側部に、下方に向かって開口して形成された取り付け凹部にフットライトが設けられている。
【特許文献１】特開２００３−２２９０１８号公報
【特許文献２】特開２００１−１６９８６１号公報
【特許文献３】特開２００７−７２５７号公報
【特許文献４】特開平１０−３２７９８４号公報
【特許文献５】特開２００８−５４９４６号公報
【発明の開示】
【発明が解決しようとする課題】
【０００８】
しかしながら、特許文献１の照明装置を適用したベッド装置では、ヘッドボードに発光ダイオードが設けられているため、ベッドの横の床面を照らすことが難しい。ベッドの横の床面を照らすためにサイドフレームの下側に発光ダイオードを設けた場合、発光ダイオードの設置位置から床面までの距離が短くなるために、ベッドの横の床面を広い範囲で照射することが難しい。ベッドの横の床面を照らすためにヘッドボードの下側に発光ダイオードを設けた場合、床面までの距離が短くなる上、サイドフレームが光をさえぎってしまうため、効果的にベッドの横の床面を照らすことが難しい。
【０００９】
特許文献２のベッドでは、マット支持台と側板との間に発光ダイオードを照明灯とする照明設備空間が設けられ、側板は透明体または半透明体の材質で形成されているので、夜間の補助灯として利用する際には、照明灯である発光ダイオードが直接利用者の視界に入ることになり、低い覚醒段階から高い覚醒段階へと移行する際に不快感を利用者に与えてしまう虞がある。また、発光ダイオードには、交流電圧を直流電圧に整流し、所定の定格電圧にし、抵抗器を介して所定の電流を供給するための配線がなされる。もし、この配線がベッドの横の利用者が頻繁に乗降する部分やその付近（頻繁に荷重がかかる部分やその付近）になされた場合、利用者がベッドに乗降する際に配線に足を取られる虞がある。また、配線の位置によっては、利用者が配線に足を取られたり、ベッドの側板と部屋の壁面や床面との間に配線が挟み込まれたりすることによる、配線への損傷の虞がある。また、照明設備空間がマット支持台と左右両方の側板との間の二箇所に設けられる場合、それら二箇所へ配線がなされるため、配線が複雑になる虞がある。配線が複雑である場合、ベッドを梱包する際には、配線を保護する処理にも手間がかかることになる。
【００１０】
特許文献３のベッドでは、ベッド本体の少なくとも一部が磁性材料によって形成されており、マグネットを有するフットライトが磁性材料によって形成された部分に磁気結合させることで着脱可能に設けられているので、夜間の補助灯として利用する際には、フットライトが直接利用者の視界に入ることになり、低い覚醒段階から高い覚醒段階へと移行する際の不快感を利用者に与えてしまう虞がある。フットライトは乾電池或いはＡＣアダプタによって給電出来るようになっており、フットライトがＡＣアダプタで給電される場合には、配線がベッドの横の利用者が頻繁に乗降する部分やその付近（頻繁に荷重がかかる部分やその付近）になされた場合、利用者がベッドに乗降する際に配線に足を取られる虞がある。また、配線の位置によっては、利用者が配線に足を取られたり、ベッド本体と部屋の壁面や床面との間に配線が挟み込まれたりすることによる、配線への損傷の虞がある。
【００１１】
特許文献４のベッド装置では、フットライトが床面上に載置されたベッドフレームに装架されており、ＡＣ１００Ｖ電源と接続されているので、配線がベッドの横の利用者が頻繁に乗降する部分やその付近（頻繁に荷重がかかる部分やその付近）になされた場合、利用者がベッドに乗降する際に配線に足を取られる虞がある。また、配線の位置によっては、利用者が配線に足を取られたり、ベッドフレームと部屋の壁面や床面との間に配線が挟み込まれたりすることによる、配線への損傷の虞がある。また、フットライトが両サイドフレームの下面及びフットボードの下面に設けられており、それらへ配線がなされるため、配線が複雑になる虞がある。配線が複雑である場合、ベッドを梱包する際には、配線を保護する処理にも手間がかかることになる。
【００１２】
特許文献５のベッド装置では、ベッド本体の側部に、下方に向かって開口して形成された取り付け凹部にフットライトが設けられているので、フットライトへの配線がベッドの横の利用者が頻繁に乗降する部分やその付近（頻繁に荷重がかかる部分やその付近）になされた場合、利用者がベッドに乗降する際に配線に足を取られる虞がある。また、配線の位置によっては、利用者が配線に足を取られたり、ベッド本体の側部と部屋の壁面や床面との間に配線が挟み込まれたりすることによる、配線への損傷の虞がある。
【００１３】
本発明は上記問題点に鑑みてなされたものであり、光源が利用者の視界に直接入るのを防止することが出来、光源が従来よりも簡単な配線で設けられ、広範囲にベッドの横の床面を照らすことが出来るベッド装置を提供することを目的とする。
【課題を解決するための手段】
【００１４】
上記課題を解決するため、本発明に係るベッド装置は、ヘッドボードと、前記ヘッドボードの端から延びるサイドフレームと、前記ヘッドボードに設けられ、前記サイドフレームを照射する光源と、前記サイドフレームに設けられ、前記光源が照射した光を反射して前記サイドフレームの脇の床面を照らす反射部材と、を備える構成とした。
【００１５】
この場合、前記反射部材は、前記サイドフレームに有する反射面にすると良い。
【００１６】
また、前記反射面は、床面に対して傾斜していると良い。
【００１７】
更に、前記反射面は凹または凸面形状を呈すると良い。
【００１８】
更にその上、前記サイドフレームの材質はアルミニウム合金であり、該アルミニウム合金の表面が前記反射面であると良い。
【００１９】
また、前記反射部材は、前記サイドフレームに反射板を有すると良い。
【００２０】
更に、前記反射板は、床面に対して傾斜していると良い。
【００２１】
更に、前記反射部材には、少なくとも一つの光拡散面を持つ透過部材が設けられていると良い。
【００２２】
更に、前記ヘッドボードは、前記光源の照射方向を調整する照射方向調整機構を備えると良い。
【００２３】
更にその上、前記光源は、前記ヘッドボードの内部に設けられ、前記ヘッドボードは、前記光源が照射した光が通過する光通過孔を備えると良い。
【発明の効果】
【００２４】
上記した手段によれば、光源がヘッドボードに設けられ、サイドフレームを照射し、反射部材が、光源が照射した光を反射して、サイドフレームの脇（ベッド装置の横）の床面を照らす。いわゆる間接照明である。よって、光源が直接利用者の視界に入るのを防止することが出来るので、低い覚醒段階から高い覚醒段階へと移行する際の不快感を利用者に与えることを防止することが出来る。また、反射部材により、広範囲にサイドフレームの脇（ベッド装置の横）の床面を照らすことが出来る。また、反射部材によって一部の光が拡散されるので、利用者から、反射部材、即ちサイドフレームの外側が光っているように視認される。つまり、利用者は、周囲が暗い場合でもサイドフレームの位置を知ることが出来るので、サイドフレームに誤って足を当てることが少なくなる。また、光源がヘッドボードに設けられるため、光源が従来よりも簡単な配線で設けられ、ベッド装置の横の利用者が頻繁に乗降する部分やその付近（頻繁に荷重がかかる部分やその付近）への配線が不要となる。そして、ベッド装置を梱包する際に配線を保護する処理を簡単にすることが出来る。また、利用者がヘッドボード側の電源コードをコンセントに挿すことで簡単に準備出来る構成のベッド装置とすることが出来る。
【００２５】
また、反射部材がサイドフレームに一体に形成された反射面であるようにすれば、ベッド装置の部品点数を減らすことが出来る。よって、光源が利用者の視界に直接入るのを防止することが出来、光源が従来よりも簡単な配線で設けられ、広範囲にサイドフレームの脇（ベッド装置の横）の床面を照らすベッド装置を安価に製造することが出来る。
【００２６】
更に、反射面が床面に対して傾斜するようにすれば、従来よりも広範囲にサイドフレームの脇（ベッド装置の横）の床面を照らすことが出来る。
【００２７】
更にその上、反射面を凹面形状を呈するようにすれば、サイドフレームの脇（ベッド装置の横）の床面の任意の場所に光を集光することが出来る。また、反射面を凸面形状を呈するようにすれば、傾斜する反射面と比較して、サイドフレームの脇（ベッド装置の横）の床面に光をより拡散させることが出来る。
【００２８】
更にまた、サイドフレームの材質はがアルミニウム合金であり、そのアルミニウム合金の表面が反射面であるようにすれば、押出成型により一体成型が容易に出来る。また、反射面に表面処理を施すことにより、反射面の反射率を高めることが出来る。
【００２９】
また、反射部材がサイドフレームに設けられた反射板であるようにすれば、サイドフレームに低反射率の材料を用いた、例えば木製の既存のベッドに、反射板を設けることが出来る。これにより、光源が利用者の視界に直接入るのを防止することが出来、光源が従来よりも簡単な配線で設けられ、広範囲にサイドフレームの脇（ベッド装置の横）の床面を照らすことが出来るベッド装置へと簡易に改造することが出来る。
【００３０】
更に、反射板が床面に対して傾斜するようにすれば、従来よりも広範囲にサイドフレームの脇（ベッド装置の横）の床面を照らすことが出来る。
【００３１】
更にその上、反射部材に少なくとも一つの光拡散面を持つ透過部材が設けられているようにすれば、光源が照射した光を拡散面により拡散し、反射部材により反射させることが出来るので、より広範囲にサイドフレームの脇（ベッド装置の横）の床面を照らすことが出来る。また、拡散面により光を拡散するので、利用者が柔らかい感じを受ける光でサイドフレームの脇（ベッド装置の横）の床面を照らすことができる。
【００３２】
更にまた、ヘッドボードに光源の照射方向を調整する照射方向調整機構を備えるようにすれば、サイドフレームの脇（ベッド装置の横）の床を照らす位置を、利用者が好みに応じて変更することが可能になる。
【００３３】
更に、光源がヘッドボードの内部に設けられ、ヘッドボードに光源が照射した光が通過する光通過孔を備えるようにすれば、利用者の視界に直接光源が入るのをより確実に防止出来る。また、光源を、照射方向調整機構を介してヘッドボードの内部に設ける場合には、光源が照射した光の量に対する光通過孔を通過する光の量の割合を変更することが可能になる。また、光源が照射して光通過孔を通過した光が、反射部材に反射されて、サイドフレームの脇（ベッド装置の横）の床を照らす位置及びその光の量を、利用者が好みに応じて変更することが可能になる。
【発明を実施するための最良の形態】
【００３４】
以下に本発明の実施形態を図面を参照しつつ詳細に説明する。図１は、本発明の実施例１に係るベッド装置１の斜視図である。図１のように、ベッド装置１は、ヘッドボード２０と、ヘッドボード２０の端から延びるサイドフレームとしてのサイドレール３１とを備える。
【００３５】
図２は、本発明の実施例１に係るベッド装置１の下方の側面を示す拡大斜視図である。図２のように、ヘッドボード２０には、光源としての発光ダイオード２１が設けられている。
【００３６】
図２のように、実施例１では、サイドレール３１の外側の面に、発光ダイオード２１が照射した光を反射してサイドフレーム３１の脇（ベッド装置１の横）の床面を照らす反射部材としての反射面３２が一体に形成されている。反射面３２は、ベッド装置１が設置される床面に対して一方向（ベッド装置１の横方向）に傾斜しかつ対向する。
【００３７】
図３は、実施例１に係るベッド装置１のサイドレール３１を示す図２のＡ−Ａ断面図である。実施例１のサイドレール３１は、アルミニウム合金を図３の断面形状で押出成型して作成される。押し出し成型の際、反射面３２も、サイドレール３１に同時に一体で形成される。なお、反射面３２の反射率を高めるために、反射面３２に対し研磨等の表面処理を施しても良い。
【００３８】
本発明の実施例１に係るベッド装置１の作用及び効果を説明する。図４は、本発明の実施例１に係るベッド装置１の側面図で、発光ダイオード２１からの光路を示す。図５は、本発明の実施例１に係るベッド装置１の図２のＡ−Ａ断面図で、発光ダイオード２１からの光路を示す。図４及び図５のように、発光ダイオード２１から照射した光を反射面３２によって反射して、サイドレール３１の脇（ベッド装置１の横）の床面を照らすことが出来る。
【００３９】
本発明の実施例１に係るベッド装置１では、発光ダイオード２１が、ヘッドボード２０に設けられ、サイドレール３１を照射し、反射面３２が、発光ダイオード２１が照射した光を反射してサイドレール３１の脇（ベッド装置１の横）の床面を照らす。よって、発光ダイオード２１が直接利用者の視界に入るのを防止することが出来るので、低い覚醒段階から高い覚醒段階へと移行する際の不快感を利用者に与えることを防止することが出来る。また、反射面３２により、広範囲でサイドレール３１の脇（ベッド装置１の横）の床面を照らすことが出来る。また、反射面３２によって一部の光が拡散されるので、利用者から、反射面３２、即ちサイドレール３１の外側が光っているように視認される。つまり、利用者は、周囲が暗い場合でもサイドレール３１の位置を知ることが出来るので、サイドレール３１に誤って足を当てることが少なくなる。また、発光ダイオード２１がヘッドボード２０に設けられるため、発光ダイオード２１が従来よりも簡単な配線で設けられ、ベッド装置１の横の利用者が頻繁に乗降する部分やその付近（頻繁に荷重がかかる部分やその付近）への配線が不要となる。そして、ベッド装置１を梱包する際に配線を保護する処理を簡単にすることが出来る。また、利用者がヘッドボード２０側の電源コードをコンセントに挿すことで簡単に準備出来る構成のベッド装置１とすることが出来る。また、光源が発光ダイオード２１であるので、白熱灯や蛍光灯に比べ、光源が閉める体積が小さい、消費電力が小さい、寿命が長いといった利点が得られる。
【００４０】
また、実施例１に係るベッド装置１では、反射面３２がサイドレール３１に一体に形成されているので、ベッド装置１の部品点数を減らすことが出来る。よって、発光ダイオード２１が利用者の視界に直接入るのを防止することが出来、発光ダイオード２１が従来よりも簡単な配線で設けられ、広範囲にサイドレール３１の脇（ベッド装置１の横）の床面を照らすことが出来るベッド装置１を安価に製造することが出来る。また、反射面３２は、床面に対して傾斜しかつ対向するので、従来よりも広範囲にサイドレール３１の脇（ベッド装置１の横）の床面を照らすことが出来る。また、サイドレール３１の材質はアルミニウム合金であるので、反射面３２に表面処理を施すことにより、反射面３２の反射率を高めることが出来る。
【００４１】
次に、本発明の実施例１に係るベッド装置１についての試験結果を説明する。発光ダイオード２１として、日亜化学ＮＳＰＷ３００（砲弾型）を用いた。発光ダイオード２１が照射した光は、サイドレール３１に形成された、床面に対して傾斜しかつ対向する反射面３２により反射され、サイドレール３１の脇（ベッド装置１の横）の床面を照らす。この時の、サイドレール３１の脇（ベッド装置１の横）の床面での照度を、コニカミノルタＴ−１０照度計を用いて測定した。測定の際、照度計は、測定面を上方に向けて床面に設置した。
【００４２】
図６は、本発明の実施例１に係るベッド装置１についての試験結果を示す説明図である。本発明の実施例１に係るベッド装置１の横の床面について、照度計での照度が０．５ルクス以上の領域を斜線で示している。図６に示されるように、ベッド装置１の横において、外側方向へ２００ｍｍ、ヘッドボード２０から遠ざかる方向（図６の右方向）について１８００ｍｍ程度の範囲において、０．５ルクス以上の照度を得ることが出来た。
【００４３】
図７は、従来のベッド１００についての試験結果を示す説明図である。この図でも同様に、照度計での照度が０．５ルクス以上の領域を斜線で示している。試験に用いた従来のベッド１００は、木製のサイドフレーム１３０を備える。図８は、従来のベッドのサイドフレーム１３０を示す断面図である。このベッド１００のヘッドボード１２０に、日亜化学ＮＳＰＷ３００（砲弾型）の発光ダイオード１２１を取り付け、サイドフレーム１３０の脇（ベッド１００の横）の床面での照度を、コニカミノルタＴ−１０照度計を用いて測定した。測定の際、照度計は、測定面を上方に向けて床面に設置した。図７に示されるように、サイドフレーム１３０の脇（ベッド１００の横）において、外側方向へ１５０ｍｍ、ヘッドボード１２０から遠ざかる方向（図７の右方向）について７００ｍｍの範囲において、０．５ルクス以上の照度が得られた。
【００４４】
上記のように、本発明の実施例１に係るベッド装置１では、従来のベッド１００に比べ、サイドレール３１の脇（ベッド装置１の横）の床面のより広い範囲を、発光ダイオード２１及びサイドレール３１に形成された反射面３２を用いて、照らすことが出来ることが確認された。
【００４５】
次に、本発明の実施例２を図面を参照しつつ詳細に説明する。実施例２では、実施例１と同一の構成、同一の作用・効果のものには同一の符号を付し、その説明を省略する。実施例１では、サイドレール３１の外側に形成される反射面３２は、床面に対して傾斜しかつ対向していたが、実施例２では、凹面形状を呈する。
【００４６】
図９は、本発明の実施例２に係るベッド装置１のサイドレール３１を示す図２のＡ−Ａ位置に対応する断面図である。実施例２に係るベッド装置１のサイドレール３１も、実施例１と同様に押出成型して作成される。ここでも、反射面３２に対し研磨等の表面処理を施しても良い。
【００４７】
実施例２では、反射面３２は凹面形状を呈するので、サイドレール３１の脇（ベッド装置１の横）の床面の任意の場所に光を集光することが出来る。
【００４８】
次に、本発明の実施例３を図面を参照しつつ詳細に説明する。実施例３では、実施例１と同一の構成、同一の作用・効果のものには同一の符号を付し、その説明を省略する。実施例１では、サイドレール３１の外側に形成される反射面３２は、床面に対して傾斜しかつ対向していたが、実施例３では、凸面形状を呈する。
【００４９】
図１０は、本発明の実施例３に係るベッド装置１のサイドレール３１を示す図２のＡ−Ａ位置に対応する断面図である。実施例３に係るベッド装置１のサイドレール３１も、実施例１と同様に押出成型して作成される。ここでも、反射面３２に対し研磨等の表面処理を施しても良い。
【００５０】
実施例３では、反射面３２は凸面形状を呈するので、サイドレール３１の脇（ベッド装置１の横）の床面に広範囲に光を拡散させることが出来る。
【００５１】
次に、本発明の実施例４を図面を参照しつつ詳細に説明する。実施例４では、実施例１と同一の構成、同一の作用・効果のものには同一の符号を付し、その説明を省略する。
【００５２】
図１１は、本発明の実施例４に係るベッド装置１のサイドレール３１を示す図２のＡ−Ａ位置に対応する断面図である。実施例１では、サイドレール３１に反射部材としての反射面３２が一体に形成されていたが、実施例４では、反射部材としての反射板３３が、低反射率である木製のサイドフレーム３０にボルト及びナットを介して取り付けられている。反射板３３は、ベッド装置１が設置される床面に対して傾斜しかつ対向して、サイドフレーム３０に設けられている。なお、サイドフレーム３０は木製に限られず、アルミニウム合金製のサイドレール３１に反射板３３を取り付ける構成でも良い。
【００５３】
実施例４に係るベッド装置１では、反射板３３が、低反射率の木製のサイドフレーム３０に設けられている。よって、既存のベッドを、発光ダイオード２１が利用者の視界に直接入るのを防止することが出来、発光ダイオード２１が従来よりも簡単な配線で設けられ、広範囲にサイドフレーム３０の脇（ベッド装置１の横）の床面を照らすことが出来るベッド装置１へと簡易に改造することが出来る。
【００５４】
次に、本発明の実施例５を図面を参照しつつ詳細に説明する。実施例５では、実施例４と同一の構成、同一の作用・効果のものには同一の符号を付し、その説明を省略する。
【００５５】
図１２は、本発明の実施例５に係るベッド装置１の下方の側面を示す拡大斜視図である。実施例４では、反射板３３が、床面に対して一方向（ベッド装置１の横方向）に傾斜しかつ対向していたが、実施例５では、反射板３３が、床面に対して二方向（ベッド装置１の横方向及び縦方向）に傾斜しかつ対向している。
【００５６】
実施例５に係るベッド装置１では、反射板３３が、床面に対して二方向に傾斜しているので、床面に対して一方向に傾斜する反射板３３と比較して、ヘッドボード２０側の床面に対して発光ダイオード２１が照射した光が反射されるので、ヘッドボード２０側の床面をより明るく照らすことが出来る。
【００５７】
次に、本発明の実施例６を図面を参照しつつ詳細に説明する。実施例６では、実施例５と同一の構成、同一の作用・効果のものには同一の符号を付し、その説明を省略する。図１３は、本発明の実施例６に係るベッド装置１の下方の側面を示す拡大斜視図である。実施例６では、反射板３３には、透過部材としてのプリズム３４が取り付けられている。プリズム３４は、三角錐形状をしており、少なくとも一つの光拡散面３５を持つ。プリズム３４は、光拡散面３５が反射板３３に沿うように、サイドフレーム３０に対して取り付けられている。
【００５８】
実施例６では、プリズム３４が反射板３３に設けられ、プリズム３４の反射板３３に沿う面が光拡散面３５となっているので、発光ダイオード２１が照射した光を光拡散面３５により拡散し、反射板３３により反射させることが出来るので、利用者が柔らかい感じを受ける光でサイドフレーム３０の脇（ベッド装置１の横）の床面を照らすことが出来る。
【００５９】
なお、本発明は、上記実施例１から６に限定されるものではなく、下記のように適宜変更することが出来る。
【００６０】
上記実施例１から６では、光源としての発光ダイオード２１は一個使用されていたが、二個以上使用しても良い。この場合、発光ダイオード２１による床面の照射範囲を広くしたり、照度を上げたりすることが可能になる。
【００６１】
上記実施例４では、反射部材として平板状の反射板３３を用いて説明したが、本発明はこれに限定されず、反射板３３は凹面形状や凸面形状を呈していても良い。また、上記実施例１では、サイドレール３１に形成された反射面３２は、床面に対して一方向に傾斜していたが、本発明はこれに限定されず、床面に対して二方向に傾斜していても良い。また、実施例６の光拡散面３５を持つプリズム３４を、上記実施例１から４に係るベッド装置１のいずれに採用しても良い。
【００６２】
図１４は、本発明の変更例に係るベッド装置１のヘッドボード２０を示す説明図である。実施例１から６において、光源としての発光ダイオード２１は、ベッド装置１のヘッドボード２０に設けられているものとして説明したが、図１４に示すように、発光ダイオード２１は、ベッド装置１のヘッドボード２０の内部に設けられ、ヘッドボード２０が、発光ダイオード２１が照射した光を通過させるための光通過孔２２を備えていても良い。この場合、発光ダイオード２１が利用者の視界に直接入るのを、より確実に防止することが出来る。なお、光通過孔２２の孔の大きさを可変出来る場合、発光ダイオード２１が照射した光を通過させる量を可変出来る。孔の形状は特に限定されず、丸形、楕円形、多角形等にすることが出来る。
【００６３】
図１５は、発光ダイオード２１をユニバーサルジョイント２３に取り付ける場合を示す部分断面図である。図１５のように、実施例１から６において、光源としての発光ダイオード２１を、発光ダイオード２１の照射方向を調整するために、照射方向調整機構としてのユニバーサルジョイント２３等を介してヘッドボード２０に設けるようにしても良い。この場合、利用者がユニバーサルジョイント２３を介して設けられた発光ダイオード２１の照射方向を直接調整することで、サイドフレーム３０（又はサイドレール３１）の脇（ベッド装置１の横）の床を照らす位置を、好みに応じて変更することが可能になる。また、光源としての発光ダイオード２１を、ユニバーサルジョイント２３を介して、ヘッドボード２０の内部に設け、ヘッドボード２０が、発光ダイオード２１が照射した光を通過させるための光通過孔２２を備えていても良い。この場合、利用者がユニバーサルジョイントを介して設けられた発光ダイオード２１の照射方向を直接調整することで、光通過孔２２を通過する光の量を簡易な方法で可変することが出来る。また、光通過孔２２の孔の大きさを可変出来るようにしても良い。よって、このベッド装置１は、例えば調整ボリューム、マイクロコンピュータ等の調光装置を備えたり、ＰＷＭ制御等の方法を採用したりしなくても、安価に調光機能を備えることが出来る。また、発光ダイオード２１が照射し光通過孔２２を通過した光が、サイドフレーム３０（サイドレール３１）の脇（ベッド装置１の横）の床を照らす位置及びその光の量を、利用者が好みに応じて変更することが可能になる。なお、本発明のベッド装置１は調整ボリューム、マイクロコンピュータ等の調光装置を備えることも、ＰＷＭ制御等の方法を採用することも出来る。この場合、サイドフレーム３０（サイドレール３１）の脇（ベッド装置１の横）を照らす光の様々な特性を可変とすることが出来る。
【００６４】
なお、上記実施例１から６及び変更例では、光源としての発光ダイオード２１はヘッドボード２０に設けられるとして説明したが、発光ダイオード２１は、サイドフレーム３０（サイドレール３１）の、ヘッドボード２０と反対側の端に設けられたフットボード４０（図１参照）に設けられても良い。
【図面の簡単な説明】
【００６５】
【図１】本発明の実施例１に係るベッド装置の斜視図である。
【図２】本発明の実施例１に係るベッド装置の下方の側面を示す拡大斜視図である。
【図３】実施例１に係るベッド装置のサイドレールを示す図２のＡ−Ａ断面図である。
【図４】本発明の実施例１に係るベッド装置の側面図で、発光ダイオードからの光路を示す。
【図５】本発明の実施例１に係るベッド装置の図２のＡ−Ａ断面図で、発光ダイオードからの光路を示す。
【図６】本発明の実施例１に係るベッド装置についての試験結果を示す説明図である。
【図７】従来のベッドについての試験結果を示す説明図である。
【図８】従来のベッドのサイドフレームを示す断面図である。
【図９】本発明の実施例２に係るベッド装置のサイドレールを示す図２のＡ−Ａ位置に対応する断面図である。
【図１０】本発明の実施例３に係るベッド装置のサイドレールを示す図２のＡ−Ａ位置に対応する断面図である。
【図１１】本発明の実施例４に係るベッド装置のサイドレールを示す図２のＡ−Ａ位置に対応する断面図である。
【図１２】本発明の実施例５に係るベッド装置の下方の側面を示す拡大斜視図である。
【図１３】本発明の実施例６に係るベッド装置の下方の側面を示す拡大斜視図である。
【図１４】本発明の変更例に係るベッド装置のヘッドボードを示す説明図である。
【図１５】発光ダイオードをユニバーサルジョイントに取り付ける場合を示す部分断面図である。
【符号の説明】
【００６６】
１  ベッド装置
２０  ヘッドボード
２１  発光ダイオード（光源）
２２  光通過孔
２３  照射方向調整機構
３１  サイドフレーム（サイドレール）
３２  反射面（反射部材）
３３  反射板（反射部材）
３４  透過部材（反射部材）
３５  光拡散面
【図１】
2010022583.tif 000003
【図２】
2010022583.tif 000004
【図３】
2010022583.tif 000005
【図４】
2010022583.tif 000006
【図５】
2010022583.tif 000007
【図６】
2010022583.tif 000008
【図７】
2010022583.tif 000009
【図８】
2010022583.tif 000010
【図９】
2010022583.tif 000011
【図１０】
2010022583.tif 000012
【図１１】
2010022583.tif 000013
【図１２】
2010022583.tif 000014
【図１３】
2010022583.tif 000015
【図１４】
2010022583.tif 000016
【図１５】
2010022583.tif 000017